(57)【特許請求の範囲】
【請求項１】
メインスイッチに直列接続されたハザードスイッチと、
自動二輪車の前後左右に設置され、前記メインスイッチをＯＮにして前記ハザードスイッチのＯＮ操作によりＯＮ作動し、点滅されるハザードランプと、
前記ハザードランプをＯＮ作動可能なハザードスイッチに並列接続された電子スイッチと、
車体の傾斜角を検知する傾斜角センサと、
この傾斜角センサによって検知された車体の傾斜角が所定角度以上になった場合に、前記電子スイッチを自動的にＯＮにするハザードシステムとを備え、
前記電子スイッチのＯＮにより前記ハザードランプを自動的にかつ強制的に点滅させることを特徴とする二輪車転倒表示装置。
【請求項２】
請求項１記載の二輪車転倒表示装置において、
前記傾斜角センサの検知信号が送られる電子燃料噴射装置をさらに備え、
前記電子燃料噴射装置は、前記車体の傾斜角が所定角度以上になった場合、エンジンへの燃料の供給を遮断する燃料遮断機能を作動させることを特徴とする二輪車転倒表示装置。
【発明の詳細な説明】
【０００１】
【発明の属する技術分野】
本発明は、自動二輪車の転倒や事故による緊急時にハザードランプを点滅させるようにした二輪車転倒表示装置に関する。
【０００２】
【従来の技術】
一般に、自動二輪車は、二輪構造であることから四輪構造の自動車よりも転倒する確率が格段に高い。また、自動二輪車は、自動車のように乗員を安全に座席に確保するシートベルトや衝突時に乗員の人体を緩衝するエアバッグなどにより保護されていないため、転倒や事故による緊急時、負傷したライダーがハザードスイッチをオンにしてハザードランプを点滅させることは極めて困難である。
【０００３】
一方、転倒時に車体が６０度以上傾斜することによって燃料が自動的に供給されずにエンジンが停止する燃料遮断機能を備えた電子燃料噴射装置を搭載した自動二輪車がある。
【０００４】
【発明が解決しようとする課題】
上記のように従来の自動二輪車では、燃料遮断機能を備えた電子燃料噴射装置が搭載されているものの、転倒や事故による緊急時にハザードランプが自動的に点滅しないため、後続車両の乗員（ライダー）はその緊急事態を即座に察知することができないという課題があった。
【０００５】
本発明は上述した事情を考慮してなされたもので、前方の二輪車の転倒や事故による緊急事態を後続車両の乗員が即座に察知することができる二輪車転倒表示装置を提供することを目的とする。
【０００６】
【課題を解決するための手段】
上述した課題を解決するために、請求項１記載の発明は、メインスイッチに直列接続されたハザードスイッチと、自動二輪車の前後左右に設置され、前記メインスイッチをＯＮにして前記ハザードスイッチのＯＮ操作によりＯＮ作動し、点滅されるハザードランプと、前記ハザードランプをＯＮ作動可能なハザードスイッチに並列接続された電子スイッチと、車体の傾斜角を検知する傾斜角センサと、この傾斜角センサによって検知された車体の傾斜角が所定角度以上になった場合に、前記電子スイッチを自動的にＯＮにするハザードシステムとを備え、前記電子スイッチのＯＮにより前記ハザードランプを自動的にかつ強制的に点滅させることを特徴とする二輪車転倒表示装置である。
【０００７】
請求項１記載の発明によれば、事故により車体が転倒して車体の傾斜角が所定角度以上になった場合にハザードランプを点滅させるようにしたので、後続車両は転倒や事故による緊急事態を即座に察知することができ、二次的な事故を未然に防止することができる。
【０００８】
請求項２記載の発明は、請求項１記載の二輪車転倒表示装置において、前記傾斜角センサの検知信号が送られる電子燃料噴射装置をさらに備え、前記電子燃料噴射装置は、前記車体の傾斜角が所定角度以上になった場合、エンジンへの燃料の供給を遮断する燃料遮断機能を作動させることを特徴とするものである。
【０００９】
請求項２記載の発明によれば、事故により車体が転倒して車体の傾斜角が所定角度以上になった場合、燃料遮断機能を作動させるようにしたので、燃料漏れを防止することができる。
【００１０】
【発明の実施の形態】
以下、本発明の実施形態を図面に基づいて説明する。
【００１１】
図１は本発明に係る二輪車転倒表示装置の一実施形態を示すブロック図、図２は図１の二輪車転倒表示装置を備えた自動二輪車を示す側面図である。
【００１２】
図２に示すように、自動二輪車１にはヘッドランプ２，テールランプ３の他に、方向指示灯を緊急時に点滅させるハザードランプ４が前後左右に設置されている。また、車体５の中心面には、車体５の傾斜角（キャンバ角）を検知する傾斜角センサ６が取り付けられている。この傾斜角（キャンバ角）は、車体５の中心面と路面への垂線とのなす角度をいう。
【００１３】
傾斜角センサ６の検知信号は、図１に示すようにＣＰＵからなり制御手段としてのハザードシステム７および電子燃料噴射装置８にそれぞれ送出される。ハザードシステム７は、傾斜角センサ６よって検知された車体５の傾斜角が所定角度以上になった場合、電子スイッチ９を経てハザードランプ４に点滅指令を発する。ここで、所定角度とは車種によってそれぞれ異なって設定され、本実施形態では６０度に設定されている。
【００１４】
また、電子燃料噴射装置８は、車体５の傾斜角が所定角度（６０度）以上になった場合にエンジン１０への燃料の供給を遮断する燃料遮断機能を有している。このエンジン１０はベルトを介して発電機１１を駆動し、その発電量がバッテリー１２に供給され、発電量が負荷量より少ない場合はバッテリー１２が電源として働き放電する一方、発電量が負荷量より多い場合は発電機１１のみが電源として働きバッテリー１２は発電機１１により充電される。
【００１５】
さらに、メインスイッチ１３にはハザードスイッチ１４が直列に接続され、このハザードスイッチ１４と電子スイッチ９とが並列に接続されている。そして、ライダーがメインスイッチ１３をオンにし、かつハザードスイッチ１４をオンにすると、ハザードランプ４が点滅する。
【００１６】
次に、上記実施形態の作用を説明する。
【００１７】
図３はハザードシステム７の動作を示すフローチャートである。このフローチャートはメインスイッチ１３がオンし、バッテリー１２が電源として働くと、自動的にスタートする処理手順である。
【００１８】
図３に示すように、ステップＳ１でハザードシステム７は、傾斜角センサ６で検知した車体５の傾斜角Ａの信号（データ／情報）を読込み、ステップＳ２で事故により車体５が転倒して車体５の傾斜角Ａが６０度以上になった場合には、ステップＳ３で電子スイッチ９をオンしてハザードランプ４を強制的に点滅する指令を発する。これにより、ハザードランプ４が自動的かつ強制的に点滅する。
【００１９】
そして、ステップＳ２で車体５の傾斜角Ａが６０度未満の場合には、ステップＳ１に戻り車体５の傾斜角Ａの信号（データ／情報）を読込む。つまり、ハザードシステム７は、車体５の傾斜角Ａが６０度以上になるまで、常に車体５の傾斜角Ａの信号を読込むこととなる。なお、ハザードランプ４はメインスイッチ１３をオフにすることで点滅を停止する。
【００２０】
また、本実施形態では、事故により車体５が転倒して車体５の傾斜角Ａが６０度以上になった場合、電子燃料噴射装置８における燃料遮断機能を作動させ、エンジン１０への燃料の供給を遮断するようにしている。
【００２１】
一方、自動二輪車１が故障して停車している場合には、ライダーがハザードスイッチ１４をオンにしてハザードランプ４を点滅させるようにすればよい。
【００２２】
このように本実施形態によれば、事故により車体５が転倒して車体５の傾斜角が６０度以上になった場合、ライダーが負傷してハザードスイッチ１４をオンにすることができなくても、ハザードランプ４を自動的かつ強制的に点滅させるようにしたので、後続車両は転倒や事故による緊急事態を即座に察知することができる。その結果、転倒した車体５に衝突するのを回避することができ、二次的な事故を未然に防止することができる。
【００２３】
また、本実施形態によれば、車体５の傾斜角が６０度以上になった場合、電子燃料噴射装置８の燃料遮断機能を作動させるようにしたので、燃料漏れを未然に防止することができる。
【００２４】
【発明の効果】
以上説明したように、本発明の請求項１によれば、車体の傾斜角が所定角度以上になった場合にハザードランプの点滅させるようにしたので、後続車両は転倒や事故による緊急事態を即座に察知することができる。その結果、転倒した車体に衝突するのを回避することができ、二次的な事故を未然に防止することができる。
【００２５】
請求項２によれば、車体の傾斜角が所定角度以上になった場合、エンジンへの燃料の供給を遮断する燃料遮断機能を作動させるようにしたので、燃料漏れを未然に防止することができる。
【図面の簡単な説明】
【図１】本発明に係る二輪車転倒表示装置の一実施形態を示すブロック図。
【図２】図１の二輪車転倒表示装置を備えた自動二輪車を示す側面図。
【図３】図１のハザードシステムの動作を示すフローチャート。
【符号の説明】
１  自動二輪車
２  ヘッドランプ
３  テールランプ
４  ハザードランプ
５  車体
６  傾斜角センサ
７  ハザードシステム（制御手段）
８  電子燃料噴射装置
９  電子スイッチ
１０  エンジン
１１  発電機
１２  バッテリー
１３  メインスイッチ
１４  ハザードスイッチ
【図１】
0004805435.tif 000002
【図２】
0004805435.tif 000003
【図３】
0004805435.tif 000004